(57)【要約】【課題】外した眼鏡を携帯するときの利便性をより高めることができ、更に、お洒落や流行に敏感な若者を引き付けることができる、ホルダ付き眼鏡フレームを提供する。【解決手段】眼鏡フレーム１２は、クリップから構成されるホルダ３０が装着された、ホルダ付きの眼鏡フレームとなっており、智１７には、リング部材２０が取り付けられる取付孔１７ａが形成されている。ホルダ３０は、一対の挟持片３１と、弾性を有し、挟持片３１の間に設けられてこれらを接続する付勢部材３２と、一端が付勢部材３２に連結され、他端にリング部３３ａが形成された接続部材３３とから構成される。リング部材２０と接続部材３３のリング部３３ａとは互いに結合しており、これによってホルダ３０が眼鏡フレーム１２に係止される。【選択図】図１
0003160256.tif 000002
【実用新案登録請求の範囲】
【請求項１】
相互に当接，離反可能に設けられた一対の挟持片を有する挟持部と、眼鏡フレームに係止されるホルダ側係止部とを備えたホルダと、
前記ホルダ側係止部によって前記ホルダが係止された眼鏡フレームとから構成されるホルダ付き眼鏡フレーム。
【請求項２】
前記眼鏡フレームは、前記ホルダ側係止部が係止されるフレーム側係止部を備えていることを特徴とする請求項１記載のホルダ付き眼鏡フレーム。
【請求項３】
前記ホルダ側係止部は、前記フレーム側係止部に対して着脱自在に構成されていることを特徴とする請求項２記載のホルダ付き眼鏡フレーム。
【請求項４】
前記フレーム側係止部は、前記眼鏡フレームの智の部分、或いは、前記眼鏡フレームのテンプルの智側の部分、若しくは、前記眼鏡フレームのリムの智側の部分に設けられていることを特徴とする請求項２又は３記載のホルダ付き眼鏡フレーム。
【請求項５】
前記フレーム側係止部及びホルダ側係止部は、それぞれリング状に形成され、これらのリング部が結合することにより前記ホルダが前記眼鏡フレームに係止されることを特徴とする請求項２乃至４記載のいずれかのホルダ付き眼鏡フレーム。
【請求項６】
前記ホルダには、装飾が施されていることを特徴とする請求項１乃至５記載のいずれかのホルダ付き眼鏡フレーム。
【考案の詳細な説明】
【技術分野】
【０００１】
本考案は、外した眼鏡の携帯性を向上させることができる、ホルダ付き眼鏡フレームに関する。
【背景技術】
【０００２】
外した眼鏡を眼鏡ケースに入れずに携帯する際には眼鏡ホルダを利用する場合がある。このような眼鏡ホルダとしては、例えば、一定長さの紐又は鎖と、この紐又は鎖の両端に設けられ、眼鏡のテンプル部分に係止される係止部とを備えたものが知られている（例えば、特開２００２−４０３７６号公報や特開２００７−１９９４４４号公報参照）。そして、このような眼鏡ホルダでは、係止部をテンプル部分に係止して紐又は鎖を使用者の首の後ろに回し、外した眼鏡を首からぶら下げて使用する。
【先行技術文献】
【特許文献】
【０００３】
【特許文献１】特開２００２−４０３７６号公報
【特許文献２】特開２００７−１９９４４４号公報
【考案の概要】
【考案が解決しようとする課題】
【０００４】
しかしながら、使用者の首に紐又は鎖を掛けて使用する上述の眼鏡ホルダには、使用者が前屈みになったときに、首からぶら下げた眼鏡が前後，左右に揺れて使い勝手が悪いという問題があった。また、このような眼鏡ホルダは、非常にありきたりであり、特に、お洒落や流行に敏感な若者に興味を持たせることができず、売り上げを伸ばし難い。
【０００５】
本考案は、以上の実情に鑑みなされたものであって、外した眼鏡を携帯するときの利便性をより高めることができ、更に、お洒落や流行に敏感な若者を引き付けることができる、ホルダ付き眼鏡フレームの提供をその目的とする。
【課題を解決するための手段】
【０００６】
上記目的を達成するための本考案は、
相互に当接，離反可能に設けられた一対の挟持片を有する挟持部と、眼鏡フレームに係止されるホルダ側係止部とを備えたホルダと、
前記ホルダ側係止部によって前記ホルダが係止された眼鏡フレームとから構成されるホルダ付き眼鏡フレームに係る。
【０００７】
この考案によれば、眼鏡を外した使用者は、挟持部で衣服（例えば、ワイシャツの前立てや襟の部分、スーツのラペルの部分、Ｔシャツの首周りの部分、ワイシャツ，スーツ及びＴシャツの胸ポケットの開口部分など）を挟んでホルダを付けることで、眼鏡（眼鏡フレーム）を固定し、携帯することができる。
【０００８】
また、上記従来の眼鏡ホルダのように、眼鏡を紐や鎖で首からぶら下げるわけではないので、眼鏡が大きく揺れることもないし、眼鏡ホルダを眼鏡とは別に持ち歩く必要もなく、使い勝手が非常に良い。更に、眼鏡フレームにホルダが装着されていて、従来にはないデザインであり、お洒落や流行に敏感な若者に興味を持たせて販売数量を増やすこともできる。
【０００９】
尚、前記眼鏡フレームは、前記ホルダ側係止部が係止されるフレーム側係止部を備えていても良く、このフレーム側係止部は、例えば、前記眼鏡フレームの智の部分、或いは、前記眼鏡フレームのテンプルの智側の部分、若しくは、前記眼鏡フレームのリムの智側の部分に設けられる。
【００１０】
また、前記ホルダ側係止部は、前記フレーム側係止部に対して着脱自在に構成されていても良く、このようにすれば、ホルダを取換可能に構成することができ、使用者は、例えば、よりデザイン性や使い勝手に優れたホルダと交換することができる。これにより、当該ホルダ付き眼鏡フレームの商品魅力を高めることができる。また、前記ホルダに装飾が施されていれば、更に優れたデザインとすることができるので、より魅力ある商品とすることができる。
【００１１】
更に、前記フレーム側係止部及びホルダ側係止部は、それぞれリング状に形成され、これらのリング部が結合することにより前記ホルダが前記眼鏡フレームに係止されるように構成されていても良い。
【考案の効果】
【００１２】
以上のように、本考案に係るホルダ付き眼鏡フレームによれば、外した眼鏡を携帯するときの利便性をより高めることができる他、お洒落や流行に敏感な若者を引き付けることができる。
【図面の簡単な説明】
【００１３】
【図１】本考案の一実施形態に係る眼鏡の概略構成を示した斜視図である。
【図２】本実施形態に係るホルダの使用例を示した正面図である。
【図３】本考案の他の実施形態に係る眼鏡の概略構成を示した斜視図である。
【図４】本考案の他の実施形態に係る眼鏡の概略構成を示した斜視図である。
【図５】本考案の他の実施形態に係る眼鏡の概略構成を示した斜視図である。
【図６】本考案の他の実施形態に係る眼鏡の概略構成を示した斜視図である。
【図７】本考案の他の実施形態に係る眼鏡の概略構成を示した斜視図である。
【図８】本考案の他の実施形態に係る眼鏡の概略構成を示した斜視図である。
【考案を実施するための形態】
【００１４】
以下、本考案の具体的な実施形態について、添付図面に基づき説明する。
【００１５】
図１に示すように、本例の眼鏡１は、２枚のレンズ１１，１１と、これらのレンズ１１，１１を支える眼鏡フレーム１２とから構成され、この眼鏡フレーム１２は、クリップから構成されるホルダ３０が装着された、ホルダ付きの眼鏡フレームとなっている。
【００１６】
前記眼鏡フレーム１２は、前記ホルダ３０の他、２つのレンズ１１，１１にそれぞれ対応して設けられ、これらのレンズ１１，１１をそれぞれ支持，固定する２つのリム１４，１４と、これらのリム１４，１４を接続するブリッジ１５と、２つのリム１４，１４の外周部であり且つ互いに対峙する部分にそれぞれ設けられ、使用者の鼻に当接する２つの鼻当て１６，１６と、２つのリム１４，１４の外周部であり且つ前記ブリッジ１５及び鼻当て１６，１６とは反対側にそれぞれ設けられる２つの智１７，１７とが一体的に形成された前枠１３と、２つの智１７，１７にそれぞれ設けられた２つのヒンジ（図示せず）と、これらのヒンジ（図示せず）を介して智１７，１７にそれぞれ接続され、使用者の耳に掛けられる２つのテンプル１８，１８とから構成される。
【００１７】
また、前記眼鏡フレーム１２の一方の智１７（使用者が眼鏡１を掛けたときに左側にくる智１７）には、左右方向に貫通する取付孔１７ａが形成されており、この取付孔１７ａには、リング部材（フレーム側係止部）２０が取り付けられている。
【００１８】
前記ホルダ３０は、一対の挟持片３１と、弾性を有し、挟持片３１の間に設けられてこれらを接続するとともに、挟持片３１の先端部をこれらが互いに接近する方向に付勢する付勢部材３２と、一端が付勢部材３２に連結され、他端にリング部（ホルダ側係止部）３３ａが形成された接続部材３３とから構成される。
【００１９】
尚、前記リング部材２０と接続部材３３のリング部３３ａとは互いに結合しており、これによってホルダ３０が眼鏡フレーム１２に係止されている。また、前記挟持片３１及び付勢部材３２は、実用新案登録請求の範囲に言う挟持部に相当する。
【００２０】
以上のように構成された本例の眼鏡１によれば、使用者は、眼鏡フレーム１２にホルダ３０が装着された状態で眼鏡１を掛け、当該眼鏡１を外したときには、眼鏡１を畳み、一対の挟持片３１で衣服（例えば、ワイシャツの前立てや襟の部分、スーツのラペルの部分、Ｔシャツの首周りの部分、ワイシャツ，スーツ及びＴシャツの胸ポケットの開口部分など）を挟むことにより当該ホルダ３０を衣服に付け、眼鏡１を衣服にぶら下げる。これにより、使用者は、外した眼鏡１を固定して携帯することができる。
【００２１】
ここで、ホルダ３０の使用例の一例を図２に示す。この図２では、一対の挟持片３１でスーツのラペル部分を挟み、このラペル部分に、外した眼鏡１をぶら下げている。
【００２２】
また、上記従来の眼鏡ホルダのように、眼鏡１を紐や鎖で首からぶら下げるわけではないので、眼鏡１が大きく揺れることもないし、眼鏡ホルダを眼鏡１とは別に持ち歩く必要もなく、使い勝手が非常に良い。更に、眼鏡フレーム１２にホルダ３０が装着されていて、従来にはないデザインであり、お洒落や流行に敏感な若者に興味を持たせて販売数量を増やすこともできる。このような効果は、ホルダ３０（例えば、一対の挟持片３１）に装飾を施せば、更に高めることができる。
【００２３】
以上、本考案の一実施形態について説明したが、本考案の採り得る具体的な態様は、何らこれに限定されるものではない。
【００２４】
上例では、眼鏡フレーム１２の一方の智１７に取付孔１７ａを形成し、この取付孔１７ａにリング部材２０を取り付け、このリング部材２０とホルダ３０のリング部３３ａとを互いに結合させるようにしたが、ホルダ３０の眼鏡フレーム１２への取付方法は何ら限定されるものではない。
【００２５】
例えば、図３に示すように、智１７の外側に半円形のリング状取付部２１を眼鏡フレーム１２と一体的に形成し、このリング状取付部２１とリング部３３ａとを互いに結合させるようにしても良く、また、図４に示すように、表面に半円形のリング部２２ａが形成された取付板２２を智１７の外側に接着し、このリング部２２ａとリング部３３ａとを互いに結合させるようにしても良い。
【００２６】
或いは、図４乃至図６に示すようにしてホルダ３０を眼鏡フレーム１２に取り付けても良い。図４では、眼鏡フレーム１２の一方のテンプル１８の智１７側の部分に、左右方向に貫通する取付孔１８ａを形成し、この取付孔１８ａにリング部材２０を取り付けるとともに、ホルダ３０の接続部材３３のリング部３３ａに引き輪（ホルダ側係止部）３４を結合し、この引き輪３４によってリング部材２０と引き輪３４とを着脱自在に結合させる。
【００２７】
一方、図５では、テンプル１８の智１７側の部分の外側に半円形のリング状取付部２１を眼鏡フレーム１２と一体的に形成し、引き輪３４によってリング状取付部２１と引き輪３４とを着脱自在に結合させる。また、図６では、表面に半円形のリング部２２ａが形成された取付板２２をテンプル１８の智１７側の部分の外側に接着し、引き輪３４によってリング部２２ａと引き輪３４とを着脱自在に結合させる。
【００２８】
このように、ホルダ３０を眼鏡フレーム１２に対して着脱自在に構成すれば、ホルダ３０を取換可能に構成することができるので、使用者は、例えば、よりデザイン性や使い勝手に優れたホルダ３０と交換することができる。これにより、ホルダ３０が装着された当該眼鏡１の商品魅力を高めることができる。この場合、ホルダ３０自身に装飾を施しておけば、効果を更に高めることができる。
【００２９】
前記取付孔１７ａ，１８ａ及びリング部材２０、リング状取付部２１、取付板２２は、上述した位置に設ける他、特に図示はしないが、眼鏡フレーム１２のリム１４の智１７側の部分に設けても良い。
【００３０】
また、ホルダ３０は、図８に示すように構成されていても良く、この場合、当該ホルダ３０は、前記挟持片３１，付勢部材３２及び接続部材３３と、接続部材３３のリング部３３ａに結合されたリング部材３５と、リング部材３５に結合された、例えば、ゴムから構成される弾性リング体（ホルダ側係止部）３６と、２つの輪の部分が形成されるように弾性リング体３６に設けられ、この弾性リング体３６上を移動可能となった締め具３７とを備える。
【００３１】
そして、このホルダ３０は、締め具３７によって弾性リング体３６に形成された２つの輪の部分の一方に、眼鏡フレーム１２の一方のテンプル１８を通した後、締め具３７により当該輪の部分を締めることで、テンプル１８の智１７側の部分に係止することができる。この他、弾性リング体３６を眼鏡フレーム１２の智１７の部分に係止するようにしても良い。
【００３２】
更に、眼鏡フレーム１２やホルダ３０の形状は、上述したものに何ら限定されるものではなく、また、ホルダ３０の使用方法も上述したものに限定されるものではない。更に、ホルダ３０に施す装飾はどのような態様であっても良い。
【符号の説明】
【００３３】
１      眼鏡
１１    レンズ
１２    眼鏡フレーム
１４    リム
１７    智
１７ａ  取付孔
１８    テンプル
２０    リング部材
３０    ホルダ
３１    挟持片
３３    接続部材
３３ａ  リング部
【図１】
0003160256.tif 000003
【図２】
0003160256.tif 000004
【図３】
0003160256.tif 000005
【図４】
0003160256.tif 000006
【図５】
0003160256.tif 000007
【図６】
0003160256.tif 000008
【図７】
0003160256.tif 000009
【図８】
0003160256.tif 000010